(57)【要約】      （修正有）【課題】電子制御装置において、電子回路基板のケースに対する誤組を防止する。【解決手段】ケース３に設けられる嵌合ピン３ｄが、電子回路基板２をケースに組み付ける際の組み付け方向から見て回転非対称に配置されている。また、これに応じて、電子回路基板において嵌合ピンと嵌合される嵌合穴２ｃも、嵌合ピンと同様に回転非対称に配置されている。これにより、ケースに対する電子回路基板の姿勢が正しくない限り、嵌合ピンが電子回路基板と干渉して電子回路基板をケースに対して組み付けることができない。【選択図】図１
2012064875.tif 000002
【特許請求の範囲】
【請求項１】
嵌合ピンを備えるケースと、前記嵌合ピンに嵌合される嵌合穴を備える電子回路基板とを備える電子制御装置であって、
前記嵌合ピン及び前記嵌合穴は、前記ケースに前記電子回路基板を組み付ける際の組み付け方向から見て回転非対称に配置されていることを特徴とする電子制御装置。
【請求項２】
前記ケースが前記嵌合ピンを有する第１パーツと、当該第１パーツに嵌合される第２パーツとを有し、
前記第２パーツは、前記第１パーツと前記第２パーツとを嵌合する際に、前記嵌合穴を貫通した前記嵌合ピンを案内する案内壁を有する
ことを特徴とする請求項１記載の電子制御装置。
【請求項３】
前記嵌合ピンの周面及び前記案内壁の壁面の少なくとも一方が、前記嵌合ピンの挿入方向に対して窄むテーパ面とされていることを特徴とする請求項２記載の電子制御装置。
【請求項４】
前記第２パーツは、前記第１パーツと嵌合された際に前記電子回路基板に当接して前記電子回路基板を押さえる基板押さえ壁を有することを特徴とする請求項２または３記載の電子制御装置。
【請求項５】
前記基板押さえ壁は、前記案内壁と一体的に形成されていることを特徴とする請求項４記載の電子制御装置。
【発明の詳細な説明】
【技術分野】
【０００１】
本発明は、電子制御装置に関するものである。
【背景技術】
【０００２】
例えば、車両等に設置されるＥＣＵ（Electronic Control Unit）等の電子制御装置は、電子回路基板と、当該電子回路基板を収容するケースとを有しており、ケースが車両に対して固定されて車両等に搭載されている。
そして、電子回路基板は、複数の嵌合穴を有しており、これらの嵌合穴がケースに設けられた嵌合ピンに嵌合されることによって、ケース内部に固定されている。
【０００３】
特許文献１及び特許文献２に示すように、これらの嵌合穴は、一般的に、矩形状の電子回路基板の４隅近傍に設けられている。一方、ケースには、これら４つの嵌合穴に対応して４つの嵌合ピンが設けられている。
そして、電子制御装置を組み立てる際には、作業者が、ケースに設けられた嵌合ピンを電子回路基板の嵌合穴に挿し込むことで電子回路基板がケースに対して位置決めされることとなる。
【先行技術文献】
【特許文献】
【０００４】
【特許文献１】特開２０００−２５２６５２号公報
【特許文献２】特開平６−２１６６６号公報
【発明の概要】
【発明が解決しようとする課題】
【０００５】
しかしながら、電子制御装置においては、嵌合穴が矩形状の電子回路基板の４隅近傍に設けられている。このため、電子回路基板を組み付け方向から見て１８０度回転させた場合には、嵌合穴の位置と嵌合ピンとの位置が合致してしまい、電子回路基板の姿勢が正しい姿勢でないにも関わらず、ケースに対して組み付け可能となってしまう。
このため、従来の電子制御装置においては、ケースに対して電子回路基板を誤組してしまう場合があり、車両の組立ての際にＥＣＵを取り付けられない事態が生じる。
【０００６】
本発明は、上述する問題点に鑑みてなされたもので、電子制御装置において、電子回路基板のケースに対する誤組を防止することを目的とする。
【課題を解決するための手段】
【０００７】
本発明は、上記課題を解決するための手段として、以下の構成を採用する。
第１の発明は、嵌合ピンを備えるケースと、上記嵌合ピンに嵌合される嵌合穴を備える電子回路基板とを備える電子制御装置であって、上記嵌合ピン及び上記嵌合穴は、上記ケースに上記電子回路基板を組み付ける際の組み付け方向から見て回転非対称に配置されているという構成を採用する。
第２の発明は、上記第１の発明において、上記ケースが上記嵌合ピンを有する第１パーツと、当該第１パーツに嵌合される第２パーツとを有し、上記第２パーツが、上記第１パーツと上記第２パーツとを嵌合する際に、上記嵌合穴を貫通した上記嵌合ピンを案内する案内壁を有するという構成を採用する。
第３の発明は、上記第２の発明において、上記嵌合ピンの周面及び上記案内壁の壁面の少なくとも一方が、上記嵌合ピンの挿入方向に対して窄むテーパ面とされているという構成を採用する。
第４の発明は、上記第２または第３の発明において、上記第２パーツが、上記第１パーツと嵌合された際に上記電子回路基板に当接して上記電子回路基板を押さえる基板押さえ壁を有するという構成を採用する。
第５の発明は、上記第４の発明において、上記基板押さえ壁が、上記案内壁と一体的に形成されているという構成を採用する。
【発明の効果】
【０００８】
本発明によれば、ケースに設けられる嵌合ピンが、電子回路基板をケースに組み付ける際の組み付け方向から見て回転非対称に配置されている。また、これに応じて、電子回路基板において嵌合ピンと嵌合される嵌合穴も、嵌合ピンと同様に回転非対称に配置されている。
なお、ここで言う回転非対称とは、上記組み付け方向に延びる任意の回転軸を中心として、ケースあるいは電子回路基板を回転させた場合に、３６０°回転する間に、パターン（すなわち嵌合ピンの配置パターン及び嵌合穴の配置パターン）が一致しないことを意味している。
このような本発明によれば、ケースに対する電子回路基板の姿勢が正しくない限り、嵌合ピンが電子回路基板と干渉して電子回路基板をケースに対して組み付けるこができない。
したがって、本発明によれば、電子制御装置において、電子回路基板のケースに対する誤組を防止することが可能となる。
【図面の簡単な説明】
【０００９】
【図１】本発明の一実施形態における電子制御装置の分解斜視図である。
【図２】本発明の一実施形態における電子制御装置が備える嵌合ピン及び嵌合穴を含む拡大分解斜視図である。
【図３】本発明の一実施形態における電子制御装置が備える嵌合ピン及び嵌合穴を含む組み立て斜視図である。
【発明を実施するための形態】
【００１０】
以下、図面を参照して、本発明に係る電子制御装置の一実施形態について説明する。なお、以下の図面において、各部材を認識可能な大きさとするために、各部材の縮尺を適宜変更している。
【００１１】
図１は、本実施形態の電子制御装置を組み付け方向に分解した分解斜視図である。本実施形態の電子制御装置１は、例えば車両に搭載されるＥＣＵであり、図１に示すように、電子回路基板２と、ケース３とを備えている。
【００１２】
電子回路基板２は、コネクタ２ａや半導体素子等の不図示の電子素子が複数実装されたプリント基板であり、矩形状に形状設定されている。そして、本実施形態の電子制御装置１においては、電子回路基板２は、４つの隅部２ｂのうち、３つの隅部２ｂに対して嵌合穴２ｃが設けられている。
【００１３】
これらの嵌合穴２ｃは、電子制御装置１の組立てにてケース３に電子回路基板２を組み付ける際の組み付け方向から見て回転非対称に配置されている。
具体的には、嵌合穴２ｃは、上記組み付け方向から見て、直角三角形の頂点の各々に配置されており、本実施形態の電子制御装置１においては、３つ設けられている。
【００１４】
ケース３は、電子回路基板２を収容して保護するためのものであり、下側ケース３ａ（第１パーツ）と、上側ケース３ｂ（第２パーツ）との２つの分割パーツを有し、上側ケース３ｂが下側ケース３ａに対して嵌合されることによって構成されている。
【００１５】
そして、下側ケース３ａに対しては、電子回路基板２の嵌合穴２ｃに対して嵌合する嵌合ピン３ｄが嵌合穴２ｃと同数設けられている。すなわち、ケース３は、電子回路基板２の嵌合穴２ｃに嵌合可能な嵌合ピン３ｄを備えている。
【００１６】
嵌合ピン３ｄは、下側ケース３ａの底部に対して先端を上側に向けて突設されており、電子回路基板２が正しい姿勢である場合に嵌合穴２ｃと嵌合可能となるように、嵌合穴２ｃと同様に、組み付け方向から見て直角三角形の頂点の各々に配置されている。
具体的には、嵌合ピン３ｄは、組み付け方向から見て略矩形状とされた下側ケース３ａが有する４つの隅部３ａ１のうち、３つの隅部３ａ１に設けられる。
このように配置された３つの嵌合ピン３ｄは、嵌合穴２ｃと同様に、組み付け方向から見て回転非対称に配置されている。
【００１７】
また、嵌合ピン３ｄの先端部の周面は、後述する上側ケース３ｂに設けられる案内壁５による案内が滑らかに移動するように、嵌合ピン３ｄの挿入方向に対して窄むテーパ面３ｄ１とされている。
【００１８】
また、本実施形態の電子制御装置１は、図２及び図３に示すように、下側ケース３ａに対して、嵌合ピン３ｄ周りに基板押さえ壁４が設けられている。また、上側ケース３ｂに対して、嵌合ピン３ｄが挿入される位置に、案内壁５及び基板押さえ壁６が設けられている。
【００１９】
下側ケース３ａに対して設けられる基板押さえ壁４は、嵌合ピン３ｄ周りに配設されており、嵌合穴２ｃが嵌合ピン３ｄに嵌合された電子回路基板２に対して下側ケース３ａ側から当接する。
なお、下側ケース３ａに設けられる基板押さえ壁４は、上側ケース３ｂに設けられる基板押さえ壁６と共に電子回路基板２を狭持することによってケース３内において電子回路基板２が移動しないように押さえている。
【００２０】
案内壁５は、電子回路基板２が正しい姿勢で組みつけられた下側ケース３ａと上側ケース３ｂとを嵌合する際に、嵌合ピン３ｄを案内してスムーズに下側ケース３ａと上側ケース３ｂとを嵌合するためのものである。
そして、案内壁５は、下側ケース３ａと上側ケース３ｂとを嵌合した際に、嵌合ピン３ｄの先端が位置する周囲に配設されている。
【００２１】
上側ケース３ｂに対して設けられる基板押さえ壁６は、案内壁５よりも下方に延在し、嵌合穴２ｃが嵌合ピン３ｄに嵌合された電子回路基板２に対して上側ケース３ｂ側から当接する。
そして、本実施形態において、上側ケース３ｂに対して設けられる基板押さえ壁６は、案内壁５と一体的に形成されている。
【００２２】
なお、基板押さえ壁４及び基板押さえ壁６は、電子回路基板２をバランス良く押さえるために、下側ケース３ａの４つの隅部３ａ１のうち、嵌合ピン３ｄが設けられていない隅部３ａ１及び当該隅部３ａ１に対向する上側ケース３ｂの隅部に対しても設けられている。
【００２３】
そして、このような構成を有する本実施形態の電子制御装置１を組み立てる場合には、まず、下側ケース３ａの３つの嵌合ピン３ｄに全ての嵌合穴２ｃが嵌合するように電子回路基板２を組み付け、その後下側ケース３ａに対して上側ケース３ｂを取り付ける。
【００２４】
ここで、本実施形態の電子制御装置１においては、嵌合ピン３ｄ及び嵌合穴２ｃが、ケース３に電子回路基板２を組み付ける際の組み付け方向（嵌合ピン３ｄの嵌合穴２ｃに対する差込方向）から見て回転非対称に配置されている。
このような本実施形態の電子制御装置１によれば、ケース３に対する電子回路基板２の姿勢が正しくない限り、嵌合ピン３ｄが電子回路基板２と干渉して電子回路基板２をケース３に対して組み付けることができない。
したがって、本実施形態の電子制御装置１によれば、電子回路基板２のケース３に対する誤組を防止することが可能となる。
【００２５】
また、本実施形態の電子制御装置１においては、従来よりも少ない嵌合ピン３ｄによってケース３内部における電子回路基板２の位置決めを行っている。
このため、従来の電子制御装置よりも電子回路基板２の水平方向（基板面と平行な方向）における移動の自由度が向上する。この結果、電子回路基板２がケース３に対して相対移動することによって外部からの振動が電子回路基板２に伝達され難くなり、電子回路基板に荷重が作用することを抑制することが可能となる。
【００２６】
また、本実施形態の電子制御装置１においては、ケース３が下側ケース３ａと上側ケース３ｂとの２つの分割パーツに構成されており、上側ケース３ｂが、当該上側ケース３ｂと下側ケース３ａとが嵌合する際に、嵌合穴２ｃを貫通した嵌合ピン３ｄを案内する案内壁５を有している。
このため、本実施形態の電子制御装置１によれば、下側ケース３ａと上側ケース３ｂとを嵌合する際に、嵌合ピン３ｄが案内壁５に案内され、精度高く下側ケース３ａと上側ケース３ｂとの相対的な位置決めをすることができ、下側ケース３ａと上側ケース３ｂとをスムーズに嵌合することが可能となる。
【００２７】
また、本実施形態の電子制御装置１においては、嵌合ピン３ｄの周面が、嵌合ピン３ｄの挿入方向に対して窄むテーパ面とされている。
このため、下側ケース３ａと上側ケース３ｂとを嵌合する際に、嵌合ピン３ｄを案内壁５に対して当接させることが容易となり、下側ケース３ａと上側ケース３ｂとの嵌合作業を容易化することが可能となる。
【００２８】
また、本実施形態の電子制御装置１においては、電子回路基板２をケース３内で押さえる基板押さえ壁４，６を有している。
このため、電子回路基板２がケース３内で大きく移動することを防止することが可能となる。
【００２９】
また、本実施形態の電子制御装置１においては、上側ケース３ｂにて、基板押さえ壁６が案内壁５と一体的に形成されている。
このため、基板押さえ壁６と案内壁５とが互いに支えあうことにより基板押さえ壁６と案内壁５との強度を向上させることができる。
したがって、例えば、本実施形態の電子制御装置１を組み立てる際に、電子回路基板２が基板押さえ壁６に対して強く接触した場合であっても、基板押さえ壁６及び案内壁５が変形することを防止することができる。
【００３０】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００３１】
例えば、上記実施形態においては、直角三角形の頂点に嵌合穴２ｃ及び嵌合ピン３ｄを配置することにより、嵌合穴２ｃ及び嵌合ピン３ｄを回転非対称に配置した。
しかしながら、本発明はこれに限定されるものではなく、他の配置パターンにて嵌合穴及び嵌合ピンを回転非対称に配置することも可能である。
例えば、嵌合穴及び嵌合ピンを長方形の頂点の各々に加えて当該長方形の辺の途中に１つ配置することによっても嵌合穴及び嵌合ピンを回転非対称に配置することができる。
また、例えば、電子回路基板２の中心から大きく外した位置に単一の嵌合穴及び嵌合ピンを設けることによっても嵌合穴及び嵌合ピンを回転非対称に配置することができる。
【００３２】
また、上記実施形態においては、嵌合ピン３ｄの周面をテーパ面とする構成について説明した。
しかしながら、本発明はこれに限定されるものではなく、嵌合ピン３ｄの周面と当該嵌合ピン３ｄと当接する案内壁５の壁面との少なくとも一方がテーパ面となっていれば良い。
【符号の説明】
【００３３】
１……電子制御装置、２……電子回路基板、２ｃ……嵌合穴、３……ケース、３ａ……下側ケース（第１パーツ）、３ｂ……上側ケース（第２パーツ）、３ｄ……嵌合ピン、４……押さえ壁、５……案内壁、６……押さえ壁
【図１】
2012064875.tif 000003
【図２】
2012064875.tif 000004
【図３】
2012064875.tif 000005